(57)【特許請求の範囲】
【請求項１】
回転駆動する駆動ロールと、駆動ロールの駆動により従動回転する従動ロールと、駆動ロールと従動ロールに架け渡されて搬送されるシート体と、駆動ロールと従動ロールの間に配置されて、シート体により搬送される被処理物、またはシート体自体に所定の処理を施す処理ユニットと、を有するシート搬送処理装置において、
前記駆動ロールよりもシート体搬送方向下流側に、洗浄液を貯留する洗浄液槽と、洗浄液槽の洗浄液内で回転して駆動ロールからのシート体を多数の通水孔を有するドラム外周面で搬送する通水ドラムと、通水ドラムよりも高速で回転するように通水ドラム内に配備されるとともに凹部と凸部が周方向に繰り返し形成された凹凸周壁を有する凹凸ドラムと、を備えて成るシート体洗浄機が配備され、
前記シート体洗浄機が、回転する通水ドラムのドラム外周面に巻き付けられながら搬送されるシート体を、通水ドラムに対する凹凸ドラムの相対回転により通水ドラムの通水孔から出し入れされる洗浄液によって洗浄する構成にされていることを特徴とするシート搬送処理装置。
【請求項２】
処理ユニットが、シート体により搬送される被処理物、またはシート体自体に乾燥処理を施す乾燥ユニットであり、
シート体が駆動ロールと従動ロールに無端状に架け回されており、
シート体洗浄機よりもシート体搬送方向下流側のシート体が、乾燥ユニットにより乾かされる構成にされていることを特徴とする請求項１に記載のシート搬送処理装置。
【発明の詳細な説明】
【技術分野】
【０００１】
本発明は、駆動ロールと従動ロールの間に架け渡されたシート体を駆動ロールの駆動により走行させて搬送する装置に係り、詳しくは、搬送されて乾燥処理や洗浄処理などの所定処理を施されたシート体を洗浄する機能を有するシート搬送処理装置に関する。
【背景技術】
【０００２】
従来、この種のシート搬送処理装置を図９に示す。図示の乾燥装置８１（シート搬送処理装置）は、被乾燥物ＡをベルトＢ上に載置して搬送するシート体搬送ユニット８２と、シート体搬送ユニット８２によるベルト体Ｂの搬送経路に配置されてベルト体Ｂ上の被乾燥物Ａを乾燥させる加熱ユニット３とから構成されている。シート体搬送ユニット８２は、駆動回転する駆動ロール７と、従動回転する従動ロール６と、駆動ロール７と従動ロール６との間に無端状に掛け回されて走行するベルトＢとを備えている。そして、シート体洗浄機４よりもベルト搬送方向上流側にはベルトＢの張力を調整するダンサーロール８８が配置され、シート体洗浄機４のベルト搬送方向下流側にガイドロール８９が配置され、従動ロール６のベルト搬送方向上流側にガイドロール１０が配置されている。加熱ユニット３は、被乾燥物Ａを乾燥させるための乾燥室１３と、乾燥室１３内を乾燥させる加熱装置１４と、を備えている。
このシート体搬送ユニット８２では、駆動ロール７の回転駆動により走行するベルトＢ上に、入側ガイド１１からの被乾燥物Ａが投入され、入口１３Ａから乾燥室１３内に搬入されて乾かされる。乾かされて得られた乾燥物Ａｔは出口１３Ｂから搬出されたのち、出側ガイド１２を経て装置外に排出される。乾燥物Ａｔが搬出されたベルトＢは、駆動ロール７、ダンサーロール８８、ガイドロール８９、ガイドロール１０、および従動ロール６を経て入側ガイド１１の近傍位置へ戻るようになっている。このようなシート搬送処理装置は例えば下記の特許文献１に記載されている。
【先行技術文献】
【特許文献】
【０００３】
【特許文献１】特開平７−２７４９２２号公報
【発明の概要】
【発明が解決しようとする課題】
【０００４】
しかしながら、前記した従来の乾燥装置８１では、ベルトＢを洗浄する手段を備えていないので、被乾燥物Ａが例えば食品である場合、食品の一部がベルトＢに付着したまま駆動ロール７と従動ロール６の間を周回することが考えられる。そのため、ベルトＢに付着した食品が腐敗して不衛生になったり、悪臭を放ったり、あるいは乾燥室１３内での再度の加熱によりベルトＢにこびついたりするおそれがある。そのために、乾燥装置８１を頻繁に停止させて、熱水噴射やブラシがけなどによりブラシＢの洗浄作業を行なわなければならず、極めて処理効率が悪かった。
【０００５】
本発明は、上記した従来の問題点に鑑みてなされたものであって、シート体に対する乾燥処理などといった所定処理を効率よく行なうことのできるシート搬送処理装置の提供を目的とする。
【課題を解決するための手段】
【０００６】
上記目的を達成するために、本発明に係るシート搬送処理装置は、回転駆動する駆動ロールと、駆動ロールの駆動により従動回転する従動ロールと、駆動ロールと従動ロールに架け渡されて搬送されるシート体と、駆動ロールと従動ロールの間に配置されて、シート体により搬送される被処理物、またはシート体自体に所定の処理を施す処理ユニットと、を有するシート搬送処理装置において、前記駆動ロールよりもシート体搬送方向下流側に、洗浄液を貯留する洗浄液槽と、洗浄液槽の洗浄液内で回転して駆動ロールからのシート体を多数の通水孔を有するドラム外周面で搬送する通水ドラムと、通水ドラムよりも高速で回転するように通水ドラム内に配備されるとともに凹部と凸部が周方向に繰り返し形成された凹凸周壁を有する凹凸ドラムと、を備えて成るシート体洗浄機が配備され、前記シート体洗浄機が、回転する通水ドラムのドラム外周面に巻き付けられながら搬送されるシート体を、通水ドラムに対する凹凸ドラムの相対回転により通水ドラムの通水孔から出し入れされる洗浄液によって洗浄する構成にされているものである。
【０００７】
また、前記構成において、処理ユニットが、シート体により搬送される被処理物またはシート体自体に乾燥処理を施す乾燥ユニットであり、シート体が駆動ロールと従動ロールに無端状に架け回されており、シート体洗浄機よりもシート体搬送方向下流側のシート体が、乾燥ユニットにより乾かされる構成にされているものである。
【発明の効果】
【０００８】
本発明に係るシート搬送処理装置によれば、処理ユニットのシート体搬送方向下流側にシート体洗浄機が配備されているので、処理ユニットにより所定処理を施された被処理物またはシート体自体を、シート体洗浄機の作用により強力に洗浄することができる。これにより、シート体洗浄のために装置全体を停止させるといった不具合を回避でき、所定処理を効率よく行なうことが可能となる。また、シート体洗浄機はシート体に対して強い洗浄力を有するので、小型構成のものを用いることも可能である。
【０００９】
また、シート体により搬送される被処理物またはシート体自体が乾燥ユニットで乾燥処理を施され、シート体洗浄機よりもシート体搬送方向下流側のシート体が乾燥ユニットによって乾かされて戻されるものでは、たとえ被処理物が食品であっても、シート体に付着した食品がシート体洗浄機の作用により強力に洗浄されてシート体から除去される。従って、付着した食品が腐敗して不衛生になったり悪臭を放ったりすることを回避できる。また、洗浄液で濡れたシート体は乾燥ユニットで乾かされたのちに従動ロールに戻るので、常に新鮮な状態で次回の乾燥処理を受け得る。これにより、長期間にわたり連続稼動させて所定処理を効率よく行なうことができる。
【図面の簡単な説明】
【００１０】
【図１】本発明の一実施形態に係るシート搬送処理装置としての乾燥装置の一部断面を含む側面構成図である。
【図２】前記シート搬送処理装置のシート体洗浄機を示す要部正断面図である。
【図３】前記シート体洗浄機の平面図である。
【図４】前記シート体洗浄機の側面図である。
【図５】前記シート体洗浄機の概略構成図である。
【図６】前記シート体洗浄機の作動原理を説明するための部分説明図である。
【図７】本発明の別の実施形態に係るシート搬送処理装置としての洗浄装置の一部断面を含む側面構成図である。
【図８】本発明の他の実施形態に係るシート搬送処理装置に用いる凹凸ドラムおよび通水ドラムを側面から視た図であって、（ａ）は凹凸ドラムの別例を示す概略構成図、（ｂ）は凹凸ドラムの他例を示す概略構成図である。
【図９】従来の乾燥装置の一部断面を含む側面構成図である。
【発明を実施するための形態】
【００１１】
本発明の実施形態を図面に基づいて説明する。尚、以下に述べる実施形態は本発明を具体化した一例に過ぎず、本発明の技術的範囲を限定するものでない。図１は本発明の一実施形態に係るシート搬送処理装置としての乾燥装置の一部断面を含む側面構成図である。但し、図９に示した従来の乾燥装置８１と同一の構成要素には、同一の符号を付すとともにその詳細な説明を省略することがある。
図１において、この実施形態に係る乾燥装置１（シート搬送処理装置の一例）は、例えば食品などに代表される被乾燥物ＡをベルトＢ（シート体の一例）上に載置して搬送するシート体搬送ユニット２と、シート体搬送ユニット２によるベルト体Ｂの搬送経路に配置されてベルト体Ｂ上の被乾燥物Ａ（被処理物の一例）を乾燥させる加熱ユニット３（処理ユニットの一例）と、加熱ユニット３の搬送方向下流側に配置されてベルト体Ｂを洗浄するシート体洗浄機４と、から構成されている。
【００１２】
前記のシート体搬送ユニット２は、モータ６７の駆動により水平軸心回りに回転する駆動ロール７と、水平軸心回りに従動回転する従動ロール６と、駆動ロール７と従動ロール６との間に無端状に掛け回されて走行するベルトＢと、駆動ロール７の例えばベルト搬送方向下流側に配置されてベルトＢを洗浄するシート体洗浄機４と、を備えている。前記のベルトＢとしては、通気性に富んだ、例えばナイロンメッシュ製のシート体が使用されている。そして、このシート体搬送ユニット２では、従動ロール６の上方に、被乾燥物ＡをベルトＢ上に投入するための入側ガイド１１が配置されている。また、駆動ロール７の上方には、乾燥装置３で被乾燥物Ａを乾かして得られた乾燥物ＡｔをベルトＢ上から排出するための出側ガイド１２が配置されている。更に、シート体洗浄機４よりもベルト搬送方向上流側に、ダンサーロール８が配置されている。シート体洗浄機４のベルト搬送方向下流側には、モータ６８により回転駆動される搬出ロール９が配置されている。従動ロール６のベルト搬送方向上流側にはガイドロール１０が配置されている。ダンサーロール８は、シート体洗浄機４に送り込まれるベルトＢの張力を調整するためのものであり、枢支軸１５回りに上下揺動する揺動アーム７０に回動自在に枢支されている。
【００１３】
前記の加熱ユニット３は、内部を通過する被乾燥物Ａを乾燥させるための乾燥室１３と、乾燥室１３内を加熱して乾燥させるために例えば熱風を吹き出す加熱装置１４と、を備えている。乾燥室１３内の目標加熱温度は、被乾燥物Ａの種類および所望される乾燥度合により異なるが、被乾燥物Ａが例えば生シイタケなどの場合、例えば５０℃程度である。乾燥室１３には、従動ロール６からのベルトＢおよびベルトＢ上に載置された被乾燥物Ａを乾燥室１３内に導入するための入口１３Ａと、乾燥室１３内で加熱されて乾燥した乾燥物ＡｔおよびベルトＢを搬出させるための出口１３Ｂと、シート体洗浄機４で洗浄された後のベルトＢｓを乾燥室１３内に導入するための開口部１３Ｃと、乾かされたベルトＢを乾燥室１３から搬出させるための開口部１３Ｄと、が形成されている。
【００１４】
次に、前記のシート洗浄機４について説明する。図２は前記シート体搬送ユニットのシート体洗浄機を示す要部正断面図、図３は前記シート体洗浄機の平面図、図４は前記シート体洗浄機の側面図、図５は前記シート体洗浄機の概略構成図である。
各図に示したように、シート洗浄機４は、基台フレーム１６上に設置された洗浄液槽２０と、洗浄液槽２０内に配置されて洗浄液槽２０に回動自在に枢支された円筒状の通水ドラム３３と、通水ドラム３３内に収容されて通水ドラム３３と同軸心で反対方向に回転する凹凸ドラム３２と、を備えている。洗浄液槽２０は、上面開口を有して側面視Ｕの字状に形成された槽周壁１９と、槽周壁１９の左右両側の開口を塞いで固設された側壁１７，１８とから構成されている。槽周壁１９の底面１９Ｅには、開閉弁４０を有する洗浄液出し入れ用の配管が接続されている。槽周壁１９の前後方向の対面寸法すなわち奥行きＣ１は例えば３００ｍｍ程度であり、槽周壁１９の左右方向の幅Ｗ２は例えば４８０ｍｍ程度であり、槽周壁１９の底面１９Ｅから洗浄液Ｔの高位液面Ｌまでの縦寸法Ｈ１は例えば４２０ｍｍ程度である。また、基台フレーム１６の左右方向の幅Ｗ３は例えば９００ｍｍ程度であり、基台フレーム１６の下面から洗浄液槽２０の上縁までの縦寸法Ｈ２は例えば５２０ｍｍ程度である。側壁１７，１８の前後方向の寸法すなわち奥行きＣ２は、例えば３７０ｍｍ程度である。尚、洗浄液槽２０中の洗浄液Ｔの適温はシート体の種類により異なるが、ベルトＢの場合は概ね５０〜９５℃である。
【００１５】
洗浄液槽２０において、側壁１８の上部には、洗浄液Ｔを加温するための容量５ｋＷ程度のプラグヒータ４６と、温度センサ装着用のソケット４９が取り付けられている。槽周壁１９の前側上部には、洗浄液槽２０内の洗浄液Ｔの液面Ｌを所定高さに保持するためのオーバーフロー用のソケット４８が取り付けられている。また、上述した側壁１７側の支柱には支持用フレーム４１が固設されている。この支持用フレーム４１に保持されるカップリング４２を介して、回転軸３１における側壁１７側の先端部がモータ４４の回転駆動軸４３と接続されている。
【００１６】
基台フレーム１６の左右両辺部には、支柱（図示省略）が立設されている。これらの支柱間には、モータ６８により回転駆動される搬出ロール９が支持される。また、ベルトＢを洗浄液槽２０内に導入するためのガイドロール５０と、ベルトＢを洗浄液槽２０から導出するためのガイドロール５１とが、それぞれ側壁１７，１８間に架け渡され回動自在に支持されている。そして、支柱には、枢支軸１５回りに上下揺動する揺動アーム７０が支持されている。揺動アーム７０の先端にはダンサーロール８が回動自在に枢支されている。揺動アーム７０の例えば水平方向からの揺動角度は角度検出器（図示省略）により検出され、揺動アーム７０はバネ材（図示省略）により常に水平方向に戻るように弾性付勢されている。ダンサーロール８は、ベルトＢが通水ドラム３３に引かれて張力が所定よりも高くなると、水平から下向きに揺動してベルトＢの張力を緩和する。このとき角度検出器（図示省略）により検出された揺動角度に応じて、通水ドラム３３の回転速度が調整されることにより、揺動アーム７０が水平に戻されるようになっている。
【００１７】
上記の凹凸ドラム３２は、洗浄液Ｔが満たされた洗浄液槽２０内で水平軸心回りに回転駆動されるようになっており、凹部３２Ａと凸部３２Ｂが周方向に繰り返した側面視花びら状の凹凸周壁３２Ｃ（図６参照）を有している。凹凸ドラム３２の外径Ｄ２は例えば１１５ｍｍ程度であり、凹凸ドラム３２の左右方向の幅Ｗ１は例えば３００ｍｍ程度である。上記の通水ドラム３３は、そのドラム外周面３３Ａに多数の通水孔５２，５２，５２，・・・を有する透水自在の円筒体として形成されている。この通水ドラム３３の外径Ｄ１は、例えば１２５ｍｍ程度であり比較的小径である。ガイドロール５０，５１の左右方向の幅Ｗ４は、例えば３００ｍｍ程度であり比較的幅狭である。
【００１８】
そして、洗浄液槽２０の左右両側の側壁１７，１８にはそれぞれ中央開口部（符号付け省略）が形成されており、これらの中央開口部を封止する軸受板２１，２２がそれぞれ取り付けられている。これら軸受板２１，２２の外側には、それぞれブラケット２９，３０を介して、軸受２７，２８および液漏れ防止用のメカニカルシール２５，２６が取り付けられている。この凹凸ドラム３２は、その回転軸３１の両端が前記の軸受２７，２８に回動自在に枢支されている。通水ドラム３３における側壁１７側端部の外周面には、スプロケット３４が設けられている。このスプロケット３４は、無端状のチェーン３７を介して、変速機３８の駆動軸３６に取り付けられたスプロケット３５と連結されている。駆動軸３６は変速機３８内のウォーム、ウォームホイールを介して、モータ４７の回転駆動軸と連結されている。
【００１９】
洗浄液槽２０の側壁１７の上部には、支持用フレーム３９が立設されている。この支持用フレーム３９にはモータ４７と変速機３８が設置されている。変速機３８は、ウォームホイール、ウォーム、カップリング（いずれも図示省略）が内装されていて、出力側である回転軸３６を備えている。モータ４７の回転駆動軸は、変速機３８のウォームホイール、ウォームおよびカップリングを介して回転軸３６と連結されている。上述のように、このシート洗浄機４は、かなり小型であるから、作業員１人で十分に取り扱うことができる。また、ベルトＢは無端状の一部分が分離・接続可能に構成されているので、ベルトＢの当該部分を外して引き離した状態とし、その一端部を、ダンサーロール８、ガイドロール５０、通水ドラム３３、ガイドロール５１、および搬出ロール９の外周面に案内したのちに、他端部と再び接続することも可能である。このようにベルトＢを構成することにより、既設のシート体搬送処理装置に対し、新たなシート洗浄機４を容易に後付けすることができる。
【００２０】
そして、上述したモータ４４，４７，６７，６８は、それぞれを駆動するドライバ（図示省略）の出力を調整する制御装置４５によって駆動制御される。制御装置４５は、例えばＣＰＵ、メモリ、データバスなどからなるマイクロコンピュータを備えている。
【００２１】
上記のように構成された乾燥装置１の作用を次に説明する。
この乾燥装置１は制御装置４５から発せられた指令信号により駆動される。その際、制御装置４５はベルトＢの搬送速度が目標搬送速度となるようにモータ６７およびモータ６８を駆動して駆動ロール７および搬出ロール９の回転速度を制御する。この目標搬送速度は、被乾燥物Ａが乾燥室１３内を通過する間に目標とする乾燥度に達するような速度に設定されている。そこで、ベルトＢが矢印Ｆ方向に走行し、被乾燥物Ａ，Ａ，Ａ，・・・が順次ベルトＢ上に入側ガイド１１から導入される。そして、ベルトＢおよび被乾燥物Ａは入口１３Ａから乾燥室１３内に搬入され、加熱装置１４の加熱により次第に乾燥し出口１３Ｂを出る際には、目標乾燥度の乾燥物Ａｔとなる。そして、出口１３Ｂから出た乾燥物Ａｔは出側ガイド１２を経て装置外へ搬出される。一方、乾燥物Ａｔを搬出されたベルトＢは、駆動ロール７を経たのちにダンサーロール８で張力調整がなされたのちにシート洗浄機４のガイドロール５０を経て通水ドラム３３の外周面に導かれる。
【００２２】
このとき、制御装置４５はモータ４７を駆動制御し、モータ４７から出力された回転駆動力はウォーム、ウォームホイール、スプロケット３５、チェーン３７、スプロケット３４などを経て通水ドラム３３に伝達され、通水ドラム３３を矢印Ｒ２方向に回転させる。また、制御装置４５はモータ４４を駆動制御し、モータ４４の回転駆動力は回転駆動軸４３、カップリング４２、および回転軸３１を経て凹凸ドラム３２に伝達され、凹凸ドラム３２を矢印Ｒ１方向に回転させる。これらにより、ベルトＢは駆動ロール７からダンサーロール８、ガイドロール５０を経て、洗浄液Ｔ中で矢印Ｒ２方向に回転する通水ドラム３３のドラム外周面３３Ａに供給される。
【００２３】
通水ドラム３３および凹凸ドラム３２においては、図６に示すように、凹凸ドラム３２の凹凸周壁３２Ｃの凸部３２Ｂが接近しつつある部分で洗浄液Ｔが通水ドラム３３の通水孔５２から外部へ吐出され、凹部３２Ａが接近しつつある部分では通水孔５２からドラム内へ吸入される。すなわち、凹凸ドラム３２の高速回転に伴って、洗浄液Ｔは前記のような吐出と吸入とが極めて短い周期で反復されて流動する。そこで、通水ドラム３３のドラム外周面３３Ａに巻き付けられながら搬送されているベルトＷは、通水ドラム３３に対し数百ｒｐｍで相対回転する凹凸ロール３２により通水ドラム３３の通水孔５２，５２，５２，・・・から出し入れされる洗浄液Ｔの振動数可変の振動流によって強く振動し、且つ、ベルトＷのメッシュ間を洗浄液Ｔが高速で出し入れされるので、通水ドラム３３に随伴している部分が効果的に洗浄される。これにより、ベルトＢに付着していた汚染物が効果的にふるい落とされて清浄なベルトＢｓとなる。その後、ベルトＢｓは開口１３Ｃから開口１３Ｄまでの乾燥室１３内を通過する際に乾かされる。このように乾燥状態となったベルトＢを用いて再び入側ガイド１１からの被乾燥物Ａを搬送することができる。一方、シート洗浄機４において、ベルトＢからの汚染物を含んだ洗浄液Ｔは、開閉弁４０が開放されて槽周壁１９の底部から機外に適宜排出され、新たな洗浄液Ｔと入れ替えられる。
【００２４】
上記したように、この実施形態の乾燥装置１によれば、シート体搬送ユニット２により搬送した被乾燥物Ａを乾燥させて搬出したのちのベルトＢを洗って、ベルトＢに付着していた乾燥物の一部を確実に除去することができる。これにより、常に清浄な周回してきたベルトＢに被乾燥物Ａを供給して搬送させることができる。因みに、被乾燥物Ａが食品である場合、食品の一部がベルトＢに付着したままで駆動ロール７と従動ロール６の間を周回することがあるため、シート洗浄機４を用いないとすると、付着した食品が腐敗して不衛生になったり悪臭を放ったりするおそれがある。しかしながら、この実施形態の乾燥装置１によれば、そのような懸念も払拭される。
また、シート洗浄機４は、高速液流および振動作用による高性能の洗浄力を有しているにも拘わらず比較的小型に構成されているため、安価に提供され得る。また、図９に示したような既存のシート体搬送処理装置にも容易かつ安価に後付けすることができる。その際には、所望される洗浄能力に応じた台数のシート洗浄機４の直列に並べて用いることが可能である。
【００２５】
尚、上記の実施形態では、シート体搬送ユニット２を有する乾燥装置１を例示したが、本発明はそれに限定されるものでない。例えば図７に示すように、合成樹脂製のフィルムＥ（シート体の別例）を洗浄する洗浄装置６１（シート搬送処理装置の別例）も本発明に含まれる。この実施形態において、先述した実施形態装置と同様の構成要素には同じ符号を付している。
この洗浄装置６１は、シート体搬送ユニット５と、フィルム洗浄ユニット６２（処理ユニットの一例）と、シート体洗浄機４と、を備えている。一般に、溶融した合成樹脂を薄く引き延ばして形成されたフィルムには溶剤が混入している。そこで、フィルムＥ中から溶剤を洗い出すために、フィルム洗浄ユニット６２が使用される。フィルム洗浄ユニット６２は、内部に洗浄用の水Ｑを貯留した洗浄室６３を備えている。洗浄室６３内の水Ｑの温度は例えば常温〜７０℃程度である。この洗浄室６３には、内部にフィルムＥを導入するための入口６３Ａと、水洗後のフィルムＥを搬出するための出口６３Ｂとが形成されている。
【００２６】
前記のシート体搬送ユニット５は、モータ６９により水平軸心回りに回転駆動される駆動ロール６５と、水平軸心回りに従動回転する従動ロール６６と、駆動ロール７と従動ロール６との間で水Ｑの浸漬位置に配備されて水平軸心回りに従動回転する複数のガイドロール６４，６４，・・・と、シート体洗浄機４の通水ドラム３３に送り込まれるフィルムＥの張力を調整するために上下揺動するとともに水平軸心回りに回転自在に支持されたダンサーロール８と、モータ６８に連結されて水平軸心回りに回転駆動される搬出ロール９と、を備えている。前記のシート体洗浄機４は、ダンサーロール８の例えばフィルム搬送方向下流側に配置されフィルムＥを洗浄し清浄なフィルムＥｓにするものであって、先の実施形態で述べたシート体洗浄機４と同様の構成である。
【００２７】
そこで、モータ６９の駆動により回転する駆動ロール６５によって、原料ロール（図外）から引き出されたフィルムＥは、入口６３Ａから洗浄室６３内に導入され、従動ロール６６、ガイドロール６４，６４，・・・、駆動ロール６５を順次経て搬送される。その間にフィルムＥ中の溶剤が水Ｑ中に溶け出して、フィルムＥが脱溶剤化される。その後、フィルムＥは出口６３Ｂから引き出され、ダンサーロール８およびガイドロール５０を経てシート体洗浄機４の通水ドラム３３の外周面に導かれる。そして、フィルムＥは、通水ドラム３３および凹凸ドラム３２の作用により、水Ｑが短い周期で噴き付けられるとともに強く振られて洗浄され、よりいっそうの脱溶剤化を受ける。このようにして洗浄を終えたフィルムＥｓは、ガイドロール５１を経て搬出ロール９により引き出され、製品ロール（図外）に巻き取られるのである。
【００２８】
上記したように、この実施形態の洗浄装置６１においても、処理ユニットとしてのフィルム洗浄ユニット６２の下流側で、更にフィルムＥを強力に洗浄することができる。そして、振動洗浄機能を有するシート体洗浄機４の使用により、浸漬洗浄機能を有するフィルム洗浄ユニット６２の洗浄能力を補完することができる。あるいは、シート体洗浄機４を用いることにより、洗浄室６３のフィルム搬送方向の長さ寸法を短くしたり、ガイドロール６４の設置数を少なくしたりすることができ、よりコンパクトな洗浄室６３を用いることが可能となる。更には、質の異なる洗浄を順次行なえるので、高レベルの洗浄を行なうことができる。
【００２９】
尚、上記した各実施形態では、シート体洗浄機４の通水ドラム３３に対し凹凸ドラム３２を反対方向（矢印Ｒ１方向と矢印Ｒ２方向）に回転させた例を示したが、本発明は、シート体洗浄機における通水ドラムの回転方向と同方向に凹凸ドラムを回転させるシート体搬送ユニットも含むことは言うまでもない。
【００３０】
また、上記では、側面視で花びら状に形成された凹凸ドラム３２を用いたが、これに替えて、例えば図８に示すように、側面視で６角形状に形成された凹凸ドラム３２ａ（同図（ａ））や、側面視で８角形状に形成された凹凸ドラム３２ｂ（同図（ｂ））を用いることも可能である。尚、前記のような側面視多角形状の凹凸ドラムは、例示した６角形状や８角形状のものに限られるものでない。例えば、側面視４角形から１０角形までの凹凸ドラムを用いると好適である。このような多角形状の凹凸ドラムは製造が簡単であるし、角部分で発生する液流が強いという特徴を有する。
【００３１】
また、上記では、１台のシート体洗浄機４を有するシート搬送装置２の例を示したが、例えばシート体洗浄機を複数台用意し、これらをシート搬送装置の搬送経路に直列に並べて用いることも可能である。このような使用態様により、洗浄能力を拡大することもできる。
【００３２】
そして、上記では、乾燥装置１の一部に、または洗浄装置６１の一部に、シート体搬送ユニット２，５を適用した例を挙げたが、本発明のシート体搬送処理装置は、搬送されるシート体を扱う装置であれば、前記の乾燥装置や洗浄装置以外の装置にも適用可能である。
また、上記では、ナイロンメッシュ製のベルトＷや合成樹脂製のフィルムＥを取り扱う装置を例示したが、本発明に用いられるシート体はこれらに限られるものでない。例えば、ネット状に形成されたシート体や、金網から成るシート体なども、本発明のシート体に含まれる。
【符号の説明】
【００３３】
１  乾燥装置（シート搬送処理装置）
２，５  シート体搬送ユニット
３  加熱ユニット（処理ユニット）
４  シート体洗浄機
６  従動ロール
７  駆動ロール
２０  洗浄液槽
３２，３２ａ，３２ｂ  凹凸ドラム
３２Ａ  凹部
３２Ｂ  凸部
３２Ｃ  凹凸周壁
３３  通水ドラム
３３Ａ ドラム外周面
５２ 通水孔
６１  洗浄装置（シート搬送処理装置）
６２  フィルム洗浄ユニット（処理ユニット）
６５  駆動ロール
６６  従動ロール
Ａ  被乾燥物（被処理物）
Ｂ ベルト（シート体）
Ｅ  フィルム（シート体および被処理物）
Ｑ  水
Ｔ  洗浄液
【図１】
0005443529.tif 000002
【図２】
0005443529.tif 000003
【図３】
0005443529.tif 000004
【図４】
0005443529.tif 000005
【図５】
0005443529.tif 000006
【図６】
0005443529.tif 000007
【図７】
0005443529.tif 000008
【図８】
0005443529.tif 000009
【図９】
0005443529.tif 000010